(57)【要約】【課題】書籍のまま搬送することによるデータ書き込み時の手間を簡略化することと、バーコードとそのバーコードを有する書籍の紐付けをＩＣタグを用いて行なうシステムを提供すること。【解決手段】書籍本体とカバーとからなる書籍であって、カバーにマッチング用ループ回路とＩＣチップとを備え、書籍の背部分の表、または裏のいずれかに放射素子を配置したことを特徴とするＩＣタグ付き書籍とマッチング用ループ回路とＩＣチップを配置したカバーを作成するときに、カバーに印刷されている書籍ＪＡＮコードデータを読み取ってＩＣへ書籍ＪＡＮコードのデータを含む必要データを書き込むことを特徴とする書籍情報設定システム。【選択図】図１
2012254572.tif 000002
【特許請求の範囲】
【請求項１】
書籍本体とカバーとからなる書籍であって、カバーにマッチング用ループ回路とＩＣチップとを備え、書籍の背部分の表、または裏のいずれかに放射素子を配置したことを特徴とするＩＣタグ付き書籍。
【請求項２】
ＩＣタグの放射素子は導電性インキの印刷によって形成されていることを特徴とする請求項１に記載のＩＣタグ付き書籍。
【請求項３】
マッチング用ループ回路はカバーの背部分の高さ方向の略中央部を対称軸として対称となっており、放射素子は書籍の背部分の中央より外側に配置されていることを特徴とする請求項１または２に記載のＩＣタグ付き書籍。
【請求項４】
マッチング用ループ回路の線幅はこれに対応して配置される放射素子の線幅を覆う幅であることを特徴とする請求項１から３のいずれか１項に記載のＩＣタグ付き書籍。
【請求項５】
放射素子は書籍の高さ方向に直交するように表表紙もしくは裏表紙、もしくは表表紙から裏表紙にかけての書籍表紙に配置されていることを特徴とする請求項１から４のいずれか１項に記載のＩＣタグ付き書籍。
【請求項６】
請求項１から５のいずれか１項に記載のＩＣタグ付き書籍の作成において、マッチング用ループ回路とＩＣチップを配置したカバーを作成するときに、カバーに印刷されている書籍ＪＡＮコードデータを読み取ってＩＣへ書籍ＪＡＮコードのデータを含む必要データを書き込むことを特徴とする書籍情報設定システム。
【請求項７】
書籍本体の背表紙に放射素子を配置して、カバーにマッチング用ループ回路とＩＣチップを配置する工程と、カバーを作成するときにカバーに印刷されている書籍ＪＡＮコードを読み取る工程と、読み取った書籍ＪＡＮコードと付加したい情報をマッチング用ループ回路とＩＣチップへ書き込む工程と、カバーに印刷されている書籍ＪＡＮコードを読み取り、マッチング用ループ回路とＩＣチップ情報も読み取り、両者を照合する工程と、照合結果をＩＣ固有番号に紐付けして書き込みデータをログに残す工程及び、書籍本体にデータ書き込み済みＩＣチップ付きカバーを取り付ける工程、の各工程を備えたことを特徴とする請求項６に記載の書籍情報設定システム。
【発明の詳細な説明】
【技術分野】
【０００１】
本発明は、ＩＣタグを使用した書籍に関するものであり、特に安価に提供できる書籍用ＩＣタグ、ＩＣタグ付き書籍とそれを使用した書籍情報設定システムに関する。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。
【０００３】
このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。
そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００４】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。
例えば、書籍、雑誌等の本にＩＣタグを付けることにより、万引き防止機能を付与するのみならず、流通過程において必要な情報の管理を行うようにしたものが提案されている（特許文献１）。
【０００５】
上記の特許文献１に記載されている書籍、雑誌等の本は、背部の表紙内側にＩＣタグを備えた構造をしており、ＩＣタグが隠れて見えないという利点を有している。しかしながら、取扱い時や流通時においては、本の背側に外力が掛かることが多々あり、このように背部に外力が掛かると、その中のＩＣタグにも圧力が掛かって破損する恐れがあり、ＩＣタグの信頼性が損なわれるという問題点がある。
【０００６】
また、特許文献２には、合紙絵本における本文の背部にＩＣタグ用インレットを貼着し、その上から表紙を被せる方法が提案されている。
この方法によれば、ＩＣタグ用インレットは外部から見えない状態になっているのみならず、表紙用のシートが本文の背部に接着しておらず、背部との間に僅かな隙間が生じており、圧力を受けにくい状態になっているため、乱暴に取り扱っても破損することがなく、ＩＣタグの信頼性が高いものとなっている。
しかも、大量生産による安価なＩＣタグ用インレットを本文の背部に貼着するだけであるので、コスト的にも有利である。
【０００７】
図８には、従来の同一構成部材上に配置されたＩＣタグ付き書籍の構造の一例の略図を示した。図８の（１）はＩＣタグが書籍の背表紙と綴じ部の間に装着されている場合、図８の（２）は書籍本体の背表紙の表面に放射素子とマッチング用ループ回路が配置されている場合の書籍本体（右側）とカバー（左側）である。
【０００８】
図８の（１）には書籍の背表紙内側にＩＣタグを備えた構造の一例を示した。この書籍
（１３５）は、本文（１０４）の綴じ部（２０２）の背のり部（２０８）にＩＣタグ（１３６）を接着して、表表紙（２０３）及び裏表紙とそれらに連接された背表紙（２０１）でくるんだ状態で構成されている。
【０００９】
しかしながら、上記の方法においては書籍の背表紙と綴じ部の間にＩＣタグを装着する工程で製本工程内のプレス工程でかかる圧力により破損の危険があるのみならず、ＩＣタグ基材により、比誘電率が変化するので通信距離がＩＣタグ単体に比べて劣化するという問題があった。通信距離の劣化は書籍管理の状態を不安定にするので、ＩＣタグに近接させた放射素子（ブースターアンテナ）を併設することが必要になるが、書籍の背表紙の位置にＩＣタグと放射素子を正確に近接させて正確に配置することは困難であった。
【００１０】
また、ＩＣタグを備えた書籍を用いて書籍情報の管理を行なう技術としては、特許文献３に書籍の状態にて複数の書籍のＩＣタグへデータ書き込みを行なう装置が開示されている。
【００１１】
特許文献３に記載されている装置は、積み重ねて載置された複数の書籍に取り付けられたＩＣタグの情報を精度良く読み取るＩＣタグ読取書込装置および製本加工装置であって、同一の位置にＩＣタグを取り付けた本を、コンベア上に積み重ねて搬送し、積み重ねられた本のすべてのＩＣタグの情報を同時にＩＣタグ・リーダ/ライタで読み書きする製本加工ラインにおいて、コンベアが成す面と鋭角を成すように設置された傾斜突き当てガイドに積み重ねられた本を突き当てることにより、各本をコンベアの進行方向にずらし、ずれて積み重なった状態でＩＣタグ・リーダ/ライタにより情報の読取書込を行う装置である。
【００１２】
また、特許文献４には書籍のバーコードを読み取り、書棚及び操作者のタグラベルへデータ書き込みを行なう装置が開示されている。
【００１３】
特許文献４に記載されている装置は、高価なデータベースや通信インフラ等を使うことなく、比較的安価に物品の管理を行うために、無線タグ通信装置は、書籍を載せる書棚及び操作者に設けられるタグラベルにそれぞれ備えられる無線タグ回路素子の間で無線通信により信号の授受を行うアンテナ及び高周波回路と、書籍に設けられたバーコードの情報を光学的に検出するバーコードリーダと、制御回路とを有する。
【００１４】
制御回路は、バーコードリーダによるバーコード情報の検出結果に応じて、アンテナ及び高周波回路を介し、書籍の管理用に設けた無線タグ回路素子のＩＣ回路部に対し書籍の各種作業情報を書き込む機能を有している装置である。
【００１５】
上記の特許文献３に記載された装置では、データの読み取りと書き込み時に書籍のまま重ねてコンベア上を搬送するので、書籍がかさばってデータ書き込みに手間がかかるという問題があった。また、特許文献４に記載された装置では、タグラベルはバーコードを有する書籍には装着されていないので、バーコード（書籍ＪＡＮコード）とそのバーコードを有する書籍とを直接紐付けることが出来ないという問題があった。
【先行技術文献】
【特許文献】
【００１６】
【特許文献１】特開２００３−６３６５５号公報
【特許文献２】特開２００６−２９７７７１号公報
【特許文献３】特開２００８−１５８９３３号公報
【特許文献４】特開２００８−０５２４５４号公報
【発明の概要】
【発明が解決しようとする課題】
【００１７】
したがって本発明の課題は、書籍のまま搬送することによるデータ書き込み時の手間を簡略化することと、バーコードとそのバーコードを有する書籍の紐付けをＩＣタグを用いて行なう方法を提供することである。
【課題を解決するための手段】
【００１８】
本発明者等は、上記の課題について鋭意検討の結果、書籍への取り付けを想定して放射素子（アンテナ）とＩＣ付きマッチング用ループ回路（ＩＣ付きストラップ）を分離した構成のＩＣタグとし、放射素子を印刷で構成することにより、安価に書籍用ＩＣタグを提供することが可能であることを見出し本発明に到達した。
【００１９】
ここでは書籍に適用した場合を説明するが、本発明の技術は書籍以外にも応用できるものである。
すなわち、本発明はＩＣ付きストラップを有するカバーを作成するときに、カバーに印刷されている書籍ＪＡＮコード（ＩＳＢＮ、分類コード、定価コードを示すバーコード）データを読み取ってＩＣへ書籍ＪＡＮコードのデータを含む、必要データを書き込むことを特徴とする書籍情報設定システムである。
【００２０】
上記の課題を解決するための本発明の請求項１に係る発明は、構成部材の一面にマッチング用ループ回路とＩＣチップを備え、別の構成部材の一面に放射素子を備えていることを特徴とするＩＣタグである。
【００２１】
本発明の請求項１に係る発明は、書籍本体とカバーとからなる書籍であって、カバーにマッチング用ループ回路とＩＣチップとを備え、書籍の背部分の表、または裏のいずれかに放射素子を配置したことを特徴とするＩＣタグ付き書籍である。
【００２２】
このようにマッチング用ループ回路とＩＣチップの両者を放射素子（アンテナ）とは別の構成部材に形成することによって、マッチング用ループ回路とＩＣチップと放射素子の各部材への形成を容易にすることが出来る。さらにマッチング用ループ回路とＩＣチップを放射素子に近接させて重ねて電磁的に結合することによって、通信距離が長く、商品の流通管理等の分野に広く使用出来るＩＣタグを構成することが出来る。
【００２３】
カバーには通常書名や絵柄等の印刷とともに、ＩＳＢＮ、分類コード、定価コードを示すバーコードである書籍ＪＡＮコードが施されている。
カバー表面にマッチング用ループ回路とＩＣチップを装着して、放射素子を導電性インキの印刷によって書籍の背となる部分に形成した場合でも、単にカバーでくるむことによって、マッチング用ループ回路とＩＣチップ及び放射素子を近接して重なる位置に配置することが容易である。
【００２４】
本発明の請求項２に係る発明は、ＩＣタグの放射素子は導電性インキの印刷によって形成されていることを特徴とする請求項１に記載のＩＣタグ付き書籍である。
【００２５】
本発明の請求項３に係る発明は、マッチング用ループ回路はカバーの背部分の高さ方向の略中央部を対称軸として対称となっており、放射素子は書籍の背部分の中央より外側に配置されていることを特徴とする請求項１または２に記載のＩＣタグ付き書籍である。
【００２６】
本発明の請求項４に係る発明は、マッチング用ループ回路の線幅はこれに対応して配置される放射素子の線幅を覆う幅であることを特徴とする請求項１から３のいずれか１項に記載のＩＣタグ付き書籍である。
【００２７】
本発明の請求項５に係る発明は、放射素子は書籍の高さ方向に直交するように表表紙もしくは裏表紙、もしくは表表紙から裏表紙にかけての書籍表紙に配置されていることを特徴とする請求項１から４のいずれか１項に記載のＩＣタグ付き書籍である。
【００２８】
本発明の請求項６に係る発明は、請求項１から５のいずれか１項に記載のＩＣタグ付き書籍の作成において、マッチング用ループ回路とＩＣチップを配置したカバーを作成するときに、カバーに印刷されている書籍ＪＡＮコード（ＩＳＢＮ、分類コード、定価コードを示すバーコード）データを読み取ってＩＣへ書籍ＪＡＮコードのデータを含む必要データを書き込むことを特徴とする書籍情報設定システムである。
【００２９】
本発明の請求項７に係る発明は、書籍本体の背表紙に放射素子を配置して、カバーにマッチング用ループ回路とＩＣチップを配置する工程と、カバーを作成するときにカバーに印刷されている書籍ＪＡＮコードを読み取る工程と、読み取った書籍ＪＡＮコードと付加したい情報をマッチング用ループ回路とＩＣチップへ書き込む工程と、カバーに印刷されている書籍ＪＡＮコードを読み取り、マッチング用ループ回路とＩＣチップ情報も読み取り、両者を照合する工程と、照合結果をＩＣ固有番号に紐付けして書き込みデータをログに残す工程と、書籍本体にデータ書き込み済みＩＣ付きカバーを取り付ける工程と、の各工程を備えたことを特徴とする請求項６に記載の書籍情報設定システムである。
【発明の効果】
【００３０】
本発明に係るＩＣタグ付き書籍はマッチング用ループ回路とＩＣチップがカバーに形成されているので、リーダ／ライタを近接させれば放射素子なしでも書き込みが可能である。一方で放射素子は書籍本体にあるためカバーを密集させて書き込みを行っても、競合せずに書き込みが可能である。これによって、ＩＣチップへの書き込み作業が省スペースで可能になる。
【００３１】
本発明に係るＩＣタグ付き書籍は棚への陳列や保管することを想定した際に、カバーの背にマッチング用ループ回路とＩＣチップを配置し、書籍の背に放射素子を配置する構造とすることで、実運用の際に従来の陳列方法、すなわち、書名の入った背表紙側を正面にして書棚に並べる方法を変更しないでもＩＣタグが読み取り易い。
【００３２】
本発明に係るＩＣタグ付き書籍によれば、マッチング用ループ回路がカバーの背部分の高さ方向の略中央部を対称軸として対称となっており、放射素子は書籍の背部分の中央より外側に配置されていることによってカバーを上下に付け替えてもマッチング用ループ回路の書籍に対する位置と放射素子に対する相対位置は変わらず同じように通信が可能となる。
【００３３】
導電性インキの印刷によって放射素子を設ける場合でも、放射素子の印刷ずれによって書籍にカバーをセットした場合に放射素子とマッチング用ループ回路間の距離が離れるとインピーダンスが低下して通信距離が短くなるあるいは通信品質が劣化してしまうということが起こる。
【００３４】
本発明に係るＩＣタグ付き書籍においては、マッチング用ループ回路の線幅をこれに対応して配置される放射素子の線幅を覆うように広く形成することによって、放射素子の印刷ずれが多少あっても、放射素子がマッチング用ループ回路に重なった位置から外れることがない。そのためにインピーダンスが低下して通信距離が短くなるあるいは通信品質が劣化するという障害が防止できる。
【００３５】
本発明に係るＩＣタグ付き書籍によれば、放射素子を書籍の高さ方向に直交するよう表
表紙もしくは裏表紙、もしくは表表紙から裏表紙にかけて配置することによって、高さ方向に平行に配置した場合と偏波面が変わりその結果読み取り方向を変えることが可能になる。
また、カバーのマッチング用ループ回路近傍にあたる書籍表紙上に、素子長の異なる放射素子を２個以上配置することで複数の周波数帯での通信に対応することが可能となる。
【００３６】
本発明に係る書籍情報設定システムによれば、書籍本体へ装着する前のカバーの状態でＩＣへのデータ書き込みを行なうことが出来るため、書籍本体にカバーを装着した状態での書き込みに比べて、書籍の搬送や取り扱いに手間をかけずにカバーに配置されたＩＣへのデータ書き込みが出来る。
【００３７】
カバーには同一書籍に関する共通情報として、書籍ＪＡＮコードとして規定されるＩＳＢＮ、分類コード、定価コード等が印刷される。
ＩＣタグを付加することにより、カバーに印刷された共通情報に加えて、出版社独自で追加したい情報（書籍１冊ごとに付与する固有番号や販売条件識別情報等）や、カバー印刷時には未定であるために印刷できない情報や、刷り分けるには困難な情報（出荷先、用途、書籍本体の版や刷等）を、書籍装着前のＩＣチップを配置したカバーへ書き込むことで付加することが出来る。
【００３８】
また、ＩＣチップ内の出荷先情報をリーダー／ライターで読み取ることで、同一物流センター内に保管されている書籍の自動仕分けが可能になる。
【００３９】
ＩＣチップ内に版や刷の正確な情報を記録できることにより、同一書籍であっても、初版や再版等の正確な情報、あるいは固有番号による識別が可能になり、早期購入読者への付加サービスや販売店独自のサービスへつなげることが出来るようになる。
【００４０】
読み取った書籍ＪＡＮコードと付加したい情報（販売条件、固有番号等）をマッチング用ループ回路を介してＩＣチップへ書き込むときには、放射素子（アンテナ）を介在させなくとも通信は可能であるため、カバーのみで書き込みが可能である。
【００４１】
カバーに配置されている書籍ＪＡＮコードのバーコードを読み取るときに、カバーと一体となっているＩＣチップへデータを書き込むため、ＩＣチップ内のデータとデータに紐付く対象（カバー）の一致の信頼性を高めることが出来る。
【００４２】
マッチング用ループ回路とＩＣチップはカバーに貼付等の方法で配置されているため、書籍本体の背表紙に配置される場合に比べて、書籍本体を作成するための製本工程を通らないので製本工程内のプレス工程を通ることによるＩＣチップの破損を避けることが出来る。
【００４３】
カバーへのマッチング用ループ回路とＩＣチップの装着をカバー製造工程で行なう場合に連続した巻取りの状態から巻取り状態の形態で製造可能であり、書籍本体とは独立して行うことが出来るために製造が容易である。また、必要に応じて、ロールから巻きだした状態で連続してデータ書き込みを行うことも可能であり搬送が容易である。
【００４４】
上記の巻取りを断裁してカバーを枚葉にした状態であっても、書籍本体へ装着前のカバーでのＩＣチップへのデータ書き込みであるため、ＩＣチップへのデータ書き込み時には対象となる複数のカバーは，書籍の状態と違って端部を重ねた状態で搬送することが出来る。これにより、データ書き込み工程のスペースを減らして搬送距離を短く出来るので工程としての処理スピードを速めることが出来る。
【図面の簡単な説明】
【００４５】
【図１】本発明のＩＣタグ付き書籍の基本構造略図
【図２】本発明のＩＣタグ付き書籍の要素の設置箇所略図
【図３】本発明のＩＣタグに用いるマッチング用ループ回路とＩＣチップの例
【図４】本発明のＩＣタグ付き書籍のマッチング用ループ回路とＩＣチップ及び放射素子設置位置例
【図５】本発明のＩＣタグ付き書籍のマッチング用ループ回路とＩＣチップ及び放射素子設置位置例
【図６】本発明のＩＣタグ付き書籍のマッチング用ループ回路とＩＣチップ及び放射素子設置位置例
【図７】本発明のＩＣタグ付き書籍のマッチング用ループ回路とＩＣチップ及び放射素子設置位置例
【図８】同一構成部材上に配置されたＩＣタグ付き書籍の構造の一例の略図。（１）はＩＣタグが書籍の背表紙と綴じ部の間に装着されている場合、（２）は書籍本体の背表紙の表面に放射素子とマッチング用ループ回路が配置されている場合の書籍本体とカバー。
【図９】本発明の書籍情報設定システムのフローチャート例
【図１０】本発明の書籍情報設定システムのカバー参考図
【図１１】本発明の書籍情報設定システムの読み取り／書き込み参考図
【図１２】本発明の書籍情報設定システムの搬送工程参考図
【発明を実施するための形態】
【００４６】
本発明の実施の形態を必要に応じて図面を用いて説明する。図１は本発明のＩＣタグ付き書籍の基本構造略図であり、図２は本発明のＩＣタグ付き書籍の要素の設置箇所の略図である。図３には本発明のＩＣタグに用いるマッチング用ループ回路の一例の略図を示した。
【００４７】
本発明のＩＣタグ付き書籍（１）は、図１の右側に示した書籍本体（２）と、左側に示したそれをくるんで用いられるカバー（３）とからなる。
書籍本体（２）の背表紙（７）の部分には、カバー（３）でくるんだ時にマッチング用ループ回路（４）と重なる位置に、導電性インキの印刷によって形成された、たとえばダイポールアンテナのような放射素子（６）が設けられている。この放射素子（６）は図２の右側に示したように本文（２０４）をくるむ表紙の背表紙（７）の部分の裏側の綴り部（２０２）と背表紙の間に配置されている。
【００４８】
カバー（３）の書籍の背に該当する部分には、ＩＣチップ（５）を備えたマッチング用ループ回路（４）が装着されている。このマッチング用ループ回路（４）は例えば図３に示したようにプラスチックフィルム等のフレキシブル基材（図示せず）上にＩＣチップ（５）に接合された略矩形の導電体のパターンにより形成されている。
【００４９】
マッチング用ループ回路（４）はエッチングにより作成され、その外寸長さ（Ｗ）と外寸幅（Ｈ）は、ＩＣチップ虚数成分と整合するように決められ、たとえばＷ２０ｍｍ×Ｈ６ｍｍ、線幅１ｍｍのパターンを厚み１μｍでエッチングにて絶縁性基材フィルム上に形成することが出来る。また、マッチング用ループ回路（４）は放射素子（６）と同様に導電性インキの印刷により形成することも可能である。
【００５０】
本発明のＩＣタグ付き書籍に用いる、書籍本体（２）の背表紙（７）の部分に設けた放射素子（６）の素子長は通信周波数に対してλ／２程度が好ましい。周波数が９５３ＭＨｚの場合の素子長はλ／２程度の１５０ｍｍ程度とする。放射素子（６）は通常の導電性インキを用いてグラビア印刷等の周知の印刷方法で形成することが出来る。
【００５１】
放射素子（６）の印刷に用いる導電性インキは焼成前金属粒子の粒径が６０ｎｍ以下、望ましくは２０ｎｍ以下の銀インキが好ましく使用される。焼成後の放射素子（６）の厚みを２μｍ以下が適当である。
【００５２】
放射素子（６）の印刷にあたっては、被印刷体にはアクリルウレタン系樹脂入りアンカー剤を使用することが好ましい。アンカー剤を使用することにより紙面が平滑になり紙自体に沁みこむことがないため、アンカー剤による処理を行なわない場合に比べ抵抗値が減少して通信性能の向上に寄与する。
【００５３】
この放射素子（６）はカバー（３）の書籍本体（２）の背表紙（７）の表裏どちら側に設けることも可能である。通常の絵柄印刷と同じ背表紙の表側に導電性インキの印刷によって設けることが作成方法としては簡便であるが、書籍の外観を損なうという意匠性の問題および取り扱い時の耐性の点から見て、放射素子（６）は書籍本体（２）の背表紙（７）の裏側に設けることが望ましい。
【００５４】
図４は本発明のＩＣタグ付き書籍のマッチング用ループ回路及び放射素子の設置位置を示す一例である。
図４（１）の左側に示したようにマッチング用ループ回路（４）はカバー（３）の背表紙（７）部分の高さ（２ｗ）方向の略中央部に取り付けられてこの取り付けた中心の位置を対称軸として上下に対称となっている。これによって図４（１）の左側に示したようなカバー（３）の上下方向を、図４（２）の左側に示したような逆の方向に変えた場合でもマッチング用ループ回路（４）と放射素子（６）の電磁的な結合状態は変わらないようにすることが出来る。したがってカバー（３）を上下逆さに書籍本体（２）に付けてしまったとしても通信が可能となる。
【００５５】
図３に示したような形状のマッチング用ループ回路（４）を用いた場合には、放射素子（６）の重なり位置はマッチング用ループ回路（４）の中心よりも中心からやや外れた位置のほうが適切である。図４（１）及び（２）の右側には上下方向に走る放射素子（６）が書籍の背表紙（７）の中心よりも外側に設けられている場合を示した。
【００５６】
図５は本発明のＩＣタグ付き書籍のマッチング用ループ回路及び放射素子の設置位置を示す他の一例である。いままでの説明では書籍本体（２）に設ける放射素子（６）の数が一本の場合を取り上げてきたが、放射素子（６）の本数は複数であっても良く、異なる通信周波数帯を用いる場合にあっては印刷パターンの変更だけで容易に対応が可能なので便利である。ここでは放射素子（６）の数が二本の場合を示した。
【００５７】
図６は本発明のＩＣタグ付き書籍のマッチング用ループ回路及び放射素子の設置位置の関係を示す一例である。左側が放射素子（６）の数が一本の場合、右側が放射素子（６）の数が二本の場合を示した。
【００５８】
図６の左側の図において、マッチング用ループ回路（４）の上下方向に走行している部分の線幅ｗはこれに対応して配置される放射素子（６）の線幅を覆う状態であり、放射素子（６）は左右方向に十分な余裕を持ってマッチング用ループ回路（４）との重なりを確保している。図６の右側の図は放射素子（６）が平行な二本の場合を示しており、二本とも左右方向に十分な余裕を持ってマッチング用ループ回路（４）との重なりを確保している。
これによって、放射素子（６）をマッチング用ループ回路（４）に重ねた時の位置ずれが多少あってもマッチング用ループ回路（４）と放射素子（６）の電磁的結合は安定した状態に保たれる。
【００５９】
これまでの例では、放射素子（６）は書籍の高さ方向に平行になるように書籍の背表紙部分に配置されている場合を示したが、放射素子（６）は書籍の高さ方向に直交するように表表紙もしくは裏表紙、もしくは表表紙から裏表紙にかけて配置することも出来る。
【００６０】
図７には本発明のＩＣタグ付き書籍のマッチング用ループ回路及び放射素子の設置位置の他の例を示した。図７の（１）には書籍の背表紙部分に相当する位置にマッチング用ループ回路（４）を備えたカバー（３）を示した。
【００６１】
図７の（２）には書籍本体（２）の背表紙部分に書籍の高さ方向に直交するよう表表紙から裏表紙にかけて放射素子（６）を配置した状態を、図７の（３）には同じく表表紙にかけて放射素子（６）を配置した状態を、図７の（４）には同じく裏表紙にかけて放射素子（６）を配置した状態をそれぞれ示した。
【００６２】
これによって、放射素子（６）を書籍の高さ方向に平行に配置した場合と偏波面が変わりその結果読み取り方向を変えることが可能になる。また、放射素子を書籍の背表紙の部分だけでなく表表紙や裏表紙に配置することによって最適な読み取り位置を選択することが可能になる。
【００６３】
上記に記載したＩＣタグ付き書籍の作成において、マッチング用ループ回路とＩＣチップを配置したカバーを作成するときに、カバーに印刷されている書籍ＪＡＮコード（ＩＳＢＮ、分類コード、定価コードを示すバーコード）データを読み取ってＩＣへ書籍ＪＡＮコードのデータを含む必要データを書き込む書籍情報設定システムの実施形態の例を以下に説明する。
【００６４】
本発明の書籍情報設定システムは、少なくとも、書籍本体の背表紙に放射素子を配置して、カバーにマッチング用ループ回路とＩＣチップを配置する工程と、カバーを作成するときにカバーに印刷されている書籍ＪＡＮコードを読み取る工程と、読み取った書籍ＪＡＮコードと付加したい情報をマッチング用ループ回路とＩＣチップへ書き込む工程と、カバーに印刷されている書籍ＪＡＮコードを読み取り、マッチング用ループ回路とＩＣチップ情報も読み取り、両者を照合する工程と、照合結果をＩＣ固有番号に紐付けして書き込みデータをログに残す工程及び、書籍本体にデータ書き込み済みＩＣチップ付きカバーを取り付ける工程、の各工程からなる書籍情報設定システムである。
図９に本発明の書籍情報設定システムの運用フローチャート例を示した。
【００６５】
書籍本体の背表紙に放射素子を配置して、カバーにマッチング用ループ回路とＩＣチップを配置する工程は、図１に示したように書籍本体の背表紙裏側に導電性インキを用いたグラビア印刷等の周知の印刷方法により形成する放射素子の配置と、カバーの背表紙部分の裏側に、エッチングにて絶縁性基材フィルム上に形成したＩＣチップとマッチング用ループ回路の貼付によって行われる。
【００６６】
放射素子の形成に用いる導電性インキとしては含まれる金属粒子の平均粒径が６０μｍ以下望ましくは２０μｍ」以下のものが使用出来る。放射素子パターンの乾燥後の厚みは２μｍ以下、１μｍ程度が適当であり、放射素子の素子長は通信周波数に９５３ＭＨｚを用いる場合にはλ／２程度の１５０ｍｍが適当である。
【００６７】
マッチング用ループ回路の外寸長さ（Ｗ）と外寸幅（Ｈ）は、ＩＣチップ虚数成分と整合するように決められ、たとえば、外寸長さは２０ｍｍ、外寸幅は６ｍｍ、線幅は１ｍｍとしてエッチングにて絶縁性基材フィルム上に形成される。
【００６８】
放射素子の配置を書籍本体に、マッチング用ループ回路とＩＣチップの配置をカバーに
とそれぞれ別の部材に行うことによって、製造が効率的に出来る。のみならず、ＩＣチップへの情報書き込みをリーダ／ライターを近接させて放射素子を介在しないで行うことが可能であることによって、書籍の状態になる前の段階のカバー単独の状態で効率的な書き込みを行い、書籍の状態になった後では、書籍に配置された放射素子の効果で遠距離からの通信を利用した書籍管理が出来るという本発明の書籍情報設定システムの効用を十分に生かすことが出来る。
【００６９】
このようにして準備されたカバーを用いて、ＩＣチップに必要な情報の記録されたカバーを作成するときにカバーに印刷されている書籍ＪＡＮコードを読み取る工程は、通常の光学的読み取り式のバーコードリーダを用いて行うことが出来る。
図１０には本発明の書籍情報設定システムのカバー参考図を示した。
【００７０】
書籍本体（２）の表表紙（９）と裏表紙（１０）に両端の折込部（１１）を折込んでセットする前のカバー（３）には、この段階では未だ情報書き込み前のＩＣチップ（５）とマッチング回路（４）をカバーの背表紙部分に装着した状態であり、表紙表面には書籍ＪＡＮコードのバーコード（１２）が印刷されている。
【００７１】
この段階ではカバー（３）は連続的に巻き取りから繰り出された状態でありこれから、バーコードリーダー（１４）による書籍ＪＡＮコード（１２）の読み取り、と読み取った書籍ＪＡＮコード（１２）の情報と、書籍の流通管理に必要となる販売条件や固有番号等の付加したい情報をマッチング用ループ回路（４）からＩＣチップ（５）へ書き込む工程と、カバー（３）に印刷されている書籍ＪＡＮコード（１２）を読み取り、マッチング用ループ回路（４）とＩＣチップ（５）に記録されている情報も読み取り、両者を照合する工程と、照合結果をＩＣ固有番号に紐付けして書き込みデータをログに残す工程までを連続して実行することが出来る。
【００７２】
図１１には本発明の書籍情報設定システムの読み取りと書き込みの参考図を示した。
カバー（３）の表紙に印刷された書籍ＪＡＮコード（１２）に記録されたＩＳＢＮ、分類コード、定価コード等の情報をバーコードリーダ（１４）によって光学的に読み取り、別途作成した書籍の流通管理に必要となる販売条件や固有番号等の付加したい情報を付加してリーダ／ライタアンテナ（１３）から無線でマッチング用ループ回路（４）を介してＩＣチップ（５）へ書き込む。
【００７３】
照合結果をＩＣ固有番号に紐付けして書き込みデータをログに残す工程までのこれらの工程は、個別断裁前のカバー作成の工程で巻き取りロールから巻き取りロールへの連続した作業としてリーダ／ライターアンテナ（１３）を移動するカバーの表面に近接させながら行うことが出来る。
【００７４】
また、これらの工程は書籍本体の作成とは別にカバー作成の工程のみで実行されるので個別に断裁した場合の搬送においても書籍の状態の対象物に書き込む場合と違って、少ないスペースで効率的に行うことが出来る。
図１２には、本発明の書籍情報設定システムのカバー断裁後に上記の工程を実行する場合の搬送工程の参考図を示した。
【００７５】
個別に断裁された書籍本体へ装着前の複数のカバー（３）をその端部を重ねて矢印方向へ搬送しながらＩＣチップ（５）へのデータ書き込みと読み出しをリーダ／ライタアンテナ（１３）から行うことが出来る。これにより、データ書き込み工程のスペースを減らして搬送距離を短く出来るので工程としての処理スピードを速めることが出来る。
【００７６】
最後に、書籍本体にデータ書き込み済みＩＣチップ付きカバーを取り付ける工程でシス
テムは完了する。
【実施例】
【００７７】
＜実施例１＞
図１に示した構成の、本発明のＩＣタグ付き書籍を作成した。
カバーの背表紙部分にＩＣチップとマッチング用ループ回路を備えた書籍を作成した。マッチング用ループ回路の外寸長さは２０ｍｍ、外寸幅は６ｍｍ、線幅は１ｍｍとしてエッチングにて絶縁性基材フィルム上に形成した。
【００７８】
書籍の背表紙の裏面に放射素子を印刷した書籍本体を作成した。
放射素子は東洋インキ製の導電性インキを用いて、アクリル系アンカー剤にて処理した背表紙表面にグラビア印刷により形成した。導電性インキとしては含まれる金属粒子の平均粒径が２０ｎｍの銀インキを用い、放射素子パターンの乾燥後の厚みを１μｍとした。
放射素子の素子長は通信周波数に９５３ＭＨｚを用いることを考慮してλ／２程度の１５０ｍｍとした。
【００７９】
実施例１で作成した、書籍の背表紙に重なる位置の裏面にマッチング用ループ回路が配置されたカバーを放射素子を印刷した書籍に取り付け本発明のＩＣタグ付き書籍の通信特性の実測を行なった。
【００８０】
通信周波数９５３ＭＨｚにおいて、本発明のＩＣタグの通信距離は２．８ｍ程度となり物流センター等の場所での遠隔管理に使用出来る性能を有することが確認できた。
【産業上の利用可能性】
【００８１】
本発明のＩＣタグとそれを使用した書籍情報設定システムは、書籍などの印刷物を取り扱う業界（製造業者、流通業者、書店）にてその商品管理をＩＣタグで運用する場合のデータ書き込み方法として特に有用である。書店での棚卸や在庫管理、セルフレジ等への応用や図書館での書籍管理にとどまらず、物流管理一般にも利用することが出来る。
【符号の説明】
【００８２】
１…書籍
２…書籍本体
３…カバー
４…マッチング用ループ回路
５…ＩＣチップ
６…放射素子（アンテナ）
７…背表紙
８…カバー背表紙対応部分
９…カバーの表表紙対応部分
１０…カバーの裏表紙対応部分
１１…カバー折込み
１２…書籍ＪＡＮコード
１３…リーダ／ライタアンテナ
１４…バーコードリーダ
Ｗ…マッチング用ループ回路全長
Ｈ…マッチング用ループ回路全幅
ｗ…マッチング用ループ回路線幅
ｗ１…マッチング用ループ回路距離
ｗ２…マッチング用ループ回路距離
１３５…書籍
１３６…ＩＣタグ
２０１…背表紙
２０２…綴じ部
２０３…表表紙
２０４…本文
２０８…背のり部
【図１】
2012254572.tif 000003
【図２】
2012254572.tif 000004
【図３】
2012254572.tif 000005
【図４】
2012254572.tif 000006
【図５】
2012254572.tif 000007
【図６】
2012254572.tif 000008
【図７】
2012254572.tif 000009
【図８】
2012254572.tif 000010
【図９】
2012254572.tif 000011
【図１０】
2012254572.tif 000012
【図１１】
2012254572.tif 000013
【図１２】
2012254572.tif 000014